(57)【要約】  【課題】  光学素子をベースに固定する付勢部材が付勢部材自身の付勢力でベースに固定されることができる光ヘッド装置を提供する。  【解決手段】  光ヘッド装置のバネ６３のＶ字部６４は、Ｖ字の枝６５ａ上のＶ字の劣角６４ａ側であってその端部が装置フレーム１１に当接する当接部６６ａと、Ｖ字の枝６５ａ上のＶ字の優角６４ｂ側であってＶ字の枝６５ａおよび枝６５ｃの交差部が装置フレーム１１に当接する当接部６６ｂと、Ｖ字の枝６５ｃ上のＶ字の劣角６４ａ側であってその端部がレンズホルダ６２に当接する当接部６６ｃとを有し、当接部６６ａ、当接部６６ｂ、当接部６６ｃがそれぞれ装置フレーム１１、装置フレーム１１、レンズホルダ６２に当接することにより劣角６４ａが無負荷時より大きくなるようにしてレンズホルダ６２を装置フレーム１１に付勢状態で固定したことを特徴とする。【選択図】  図４
2009238340.tif 000002
【特許請求の範囲】
【請求項１】
レーザ光源と、受光素子と、前記レーザ光源から出射されたレーザ光を光記録媒体に収束させるとともに前記光記録媒体からの戻り光を前記受光素子に導く光学系と、前記レーザ光源、前記受光素子および前記光学系が搭載されたベースとを有する光ヘッド装置であって、
前記ベースに当接する取り付け面を有し前記光学系の光学素子を保持する光学素子ホルダと、前記光学素子ホルダを付勢して該光学素子ホルダの前記取り付け面を前記ベースに押し付けて固定させるとともに自らもその付勢力により前記ベースに固定される付勢部材とを有し、
前記付勢部材は、互いに交差する交差部から一方および他方に延設された一方および他方の枝によって形成され、前記付勢部材は、前記一方の枝上の前記交差部の劣角側であってその端部が前記ベースに当接する第一のベース当接部と、前記交差部の優角側であって、その頂点が前記ベースに当接する第二のベース当接部と、前記他方の枝上の前記劣角側であってその端部が前記光学素子ホルダに当接するホルダ当接部とを有し、前記第一のベース当接部、前記第二のベース当接部、前記ホルダ当接部がそれぞれ前記ベース、前記ベース、前記光学素子ホルダに当接することにより前記劣角が無負荷時より大きくなるようにして前記光学素子ホルダを前記ベースに付勢状態で固定したことを特徴とする光ヘッド装置。
【請求項２】
前記取り付け面は、光学素子を通る光軸にそれぞれ平行な２つの前記取り付け面からなり、前記２つの取り付け面は、互いに隣接配置されて交差しているとともに前記付勢部材によって同時にベースに押し付けられていることを特徴とする請求項１に記載の光ヘッド装置。
【請求項３】
前記取り付け面は、光学素子を通る光軸にそれぞれ平行な２つの前記取り付け面からなり、前記２つの取り付け面は、互いに離間して配置され、前記２つの取り付け面を含むそれぞれの仮想平面が互いに交差しているとともに前記付勢部材によって同時にベースに押し付けられていることを特徴とする請求項１に記載の光ヘッド装置。
【請求項４】
前記付勢部材は、前記光軸に直交する方向に移動することを前記ベースに当接することによって防止する直交方向移動防止部を有することを特徴とする請求項１に記載の光ヘッド装置。
【請求項５】
前記付勢部材は、前記光軸に平行な方向に移動することを前記ベースに当接することによって防止する平行方向移動防止部を有することを特徴とする請求項１に記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、光記録媒体からの戻り光に対して非点収差を発生させるセンサーレンズと、センサーレンズを保持したレンズホルダと、レンズホルダが接着固定されるベースと、レンズホルダがベースに接着固定される前にレンズホルダをベースに仮固定する板バネとを有する光学ヘッド装置が知られている（例えば、特許文献１参照。）。
【特許文献１】特開２００４−２０６７６０号公報
【発明の開示】
【発明が解決しようとする課題】
【０００３】
しかしながら、従来の光ヘッド装置においては、板バネがベースにネジによって固定されており、部品点数が多いという問題がある。
【０００４】
本発明は、従来の問題を解決するためになされたもので、ネジを用いることなく光学素子をベースに固定する付勢部材が光学部材をベースに固定する際の付勢部材自身の付勢力でベースに固定されることができる光ヘッド装置を提供することを目的とする。
【課題を解決するための手段】
【０００５】
本発明の光ヘッド装置は、レーザ光源と、受光素子と、前記レーザ光源から出射されたレーザ光を光記録媒体に収束させるとともに前記光記録媒体からの戻り光を前記受光素子に導く光学系と、前記レーザ光源、前記受光素子および前記光学系が搭載されたベースとを有する光ヘッド装置であって、前記ベースに当接する取り付け面を有し前記光学系の光学素子を保持する光学素子ホルダと、前記光学素子ホルダを付勢して該光学素子ホルダの前記取り付け面を前記ベースに押し付けて固定させるとともに自らもその付勢力により前記ベースに固定される付勢部材とを有し、前記付勢部材は、互いに交差する交差部から一方および他方に延設された一方および他方の枝によって形成され、前記付勢部材は、前記一方の枝上の前記交差部の劣角側であってその端部が前記ベースに当接する第一のベース当接部と、前記交差部の優角側であって、その頂点が前記ベースに当接する第二のベース当接部と、前記他方の枝上の前記劣角側であってその端部が前記光学素子ホルダに当接するホルダ当接部とを有し、前記第一のベース当接部、前記第二のベース当接部、前記ホルダ当接部がそれぞれ前記ベース、前記ベース、前記光学素子ホルダに当接することにより前記劣角が無負荷時より大きくなるようにして前記光学素子ホルダを前記ベースに付勢状態で固定したことを特徴とする。
【０００６】
この構成により、本発明の光ヘッド装置は、光学素子ホルダが付勢部材の付勢力によってベースに固定されるときに、付勢部材に発生する復元力によって付勢部材がベースに固定されるので、光学素子をベースに固定する付勢部材が付勢部材自身の付勢力でベースに固定されることができる。
【０００７】
また、本発明の光ヘッド装置の前記取り付け面は、光学素子を通る光軸にそれぞれ平行な２つの前記取り付け面からなり、前記２つの取り付け面は、互いに隣接配置されて交差しているとともに前記付勢部材によって同時にベースに押し付けられていることが好ましい。
【０００８】
この構成により、本発明の光ヘッド装置は、２つの交差している取り付け面をベースに同時に押し付けることにより、光軸と直交する方向におけるベースに対する光学素子ホルダの位置を確定することができる。
【０００９】
また、本発明の光ヘッド装置の前記取り付け面は、光学素子を通る光軸にそれぞれ平行な２つの前記取り付け面からなり、前記２つの取り付け面は、互いに離間して配置され、前記２つの取り付け面を含むそれぞれの仮想平面が互いに交差しているとともに前記付勢部材によって同時にベースに押し付けられていることが好ましい。
【００１０】
この構成により、本発明の光ヘッド装置は、２つの交差している取り付け面をベースに同時に押し付けることにより、光軸と直交する方向におけるベースに対する光学素子ホルダの位置を確定することができる。
【００１１】
また、本発明の光ヘッド装置の前記付勢部材は、前記光軸に直交する方向に移動することを前記ベースに当接することによって防止する直交方向移動防止部を有することを特徴とすることが好ましい。
【００１２】
この構成により、本発明の光ヘッド装置は、光学素子ホルダが付勢部材の付勢力によってベースに固定されるときに、ベースに対して光学素子を通る光軸に直交な方向に付勢部材に発生する復元力によって付勢部材が移動することを防止することができる。
【００１３】
また、本発明の光ヘッド装置の前記付勢部材は、前記光軸に平行な方向に移動することを前記ベースに当接することによって防止する平行方向移動防止部を有することを特徴とすることが好ましい。
【００１４】
この構成により、本発明の光ヘッド装置は、光学素子の光軸に平行な方向に付勢部材が移動しないので、光学素子ホルダが付勢部材の付勢力によってベースに固定されている状態であっても、光学素子を光軸に平行な方向に調整させることができる。
【発明の効果】
【００１５】
本発明によれば、光学素子をベースに固定する付勢部材は、互いに交差する交差部から一方および他方に延設された一方および他方の枝によって形成され、付勢部材は、一方の枝上の劣角側であってその端部がベースに当接する第一のベース当接部と、交差部の優角側であって、その頂点がベースに当接する第二のベース当接部と、他方の枝上の劣角側であってその端部が光学素子ホルダに当接するホルダ当接部とを有し、第一のベース当接部、第二のベース当接部、ホルダ当接部がそれぞれベース、ベース、光学素子ホルダに当接することにより劣角が無負荷時より大きくなるようにして光学素子ホルダをベースに付勢状態で固定しているので、光学素子をベースに固定する付勢部材が付勢部材自身の付勢力でベースに固定されることができる。従って、ネジを用いることなく光学素子をベースに固定することが可能になり、部品点数の削減を図ることができる。
【発明を実施するための最良の形態】
【００１６】
以下、本発明の一実施の形態について、図面を用いて説明する。
【００１７】
まず、本実施の形態に係る光ヘッド装置の構成について説明する。
【００１８】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００１９】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００２０】
図１〜図３に示すように、光ヘッド装置１０は、マグネシウムや亜鉛などのダイカスト品からなるベースとしての金属製の装置フレーム１１と、装置フレーム１１に対して光記録ディスク側に配置されて装置フレーム１１上の各種の部品を覆う装置フレーム１１に取り付けられた金属カバー１２および対物レンズ駆動機構４０に取り付けられた金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００２１】
装置フレーム１１は、光記録ディスクを駆動する図示していないディスク駆動装置の主軸や副軸が係合する軸受１１ａおよび軸受１１ｂと、金属カバー１２の位置決め用の突起１１ｃと、金属カバー１２を留めるための爪１１ｄとを備えている。
【００２２】
金属カバー１２は、装置フレーム１１の突起１１ｃに嵌まる穴部１２ａと、装置フレーム１１の爪１１ｄに係合する溝部１２ｂとを備えている。
【００２３】
金属カバー１３は、対物レンズ３１から出射されるレーザ光を通過させる穴部１３ａを有しており、対物レンズ駆動機構４０を覆っている。
【００２４】
レーザ光源装置２１、レーザ光源装置２２およびモニタ用受光素子２３は、装置フレーム１１に搭載されており、金属カバー１２によって覆われている。
【００２５】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９と、光記録ディスクからの戻り光に対して非点収差を発生させるセンサーレンズ６１とを含んでいる。
【００２６】
偏光プリズム３２、回折素子３３、回折素子３４、リレーレンズ３５、ハーフミラー３６、１／４波長板３７、コリメートレンズ３８、立ち上げミラー３９およびセンサーレンズ６１は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００２７】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００２８】
図４は、図５のＡ−Ａ矢視断面図であって、センサーレンズ６１の近傍の図である。図５は、光ヘッド装置１０の上面側から見た斜視図であって、センサーレンズ６１の近傍の図である。
【００２９】
図４および図５に示すように、センサーレンズ６１は、光学素子ホルダとしてのレンズホルダ６２に接着固定されており、レンズホルダ６２を介して装置フレーム１１に固定されている。なお、センサーレンズ６１は、必ずしもレンズホルダ６２に接着固定されている必要はなく、レンズホルダ６２と樹脂一体成形で構成されているのであっても良い。レンズホルダ６２は、センサーレンズ６１を通る光軸６１ａに対してそれぞれ平行で互いに直交して装置フレーム１１に当接する２つの取り付け面６２ａ、６２ｂと、センサーレンズ６１を通る戻り光を通す貫通孔６２ｃと、貫通孔６２ｃに対して取り付け面６２ａ、６２ｂの反対側に配置されてセンサーレンズ６１を通る光軸６１ａに対して平行な方向に延設された曲面６２ｄとを有している。ここで、装置フレーム１１は、互いに直交してそれぞれレンズホルダ６２の取り付け面６２ａ、６２ｂが接着固定されるホルダ固定面１１ｅ、１１ｆを有している。
【００３０】
図６（ａ）、（ｂ）、（ｃ）は、それぞれ付勢部材としてのバネ６３の正面図、底面図、側面断面図である。
【００３１】
図４および図６（ｃ）に示すように、レンズホルダ６２は、金属の板を折り曲げて製造された付勢部材としてのバネ６３によって装置フレーム１１に付勢されている。バネ６３は、レンズホルダ６２が２つの取り付け面６２ａ、６２ｂで装置フレーム１１に押し付けられる矢印６３ａで示す方向にレンズホルダ６２を付勢するＶ字状のＶ字部６４を有している。Ｖ字部６４は、Ｖ字の一方の枝６５ａ上のＶ字の劣角６４ａ側であってその端部が装置フレーム１１に当接する第一のベース当接部としての当接部６６ａと、枝６５ａ上のＶ字の優角６４ｂ側であってＶ字の一方の枝６５ａおよび他方の枝６５ｃの交差部が装置フレーム１１に当接する第二のベース当接部としての当接部６６ｂと、Ｖ字の他方の枝６５ｃ上のＶ字の劣角６４ａ側であってその端部がレンズホルダ６２に当接するホルダ当接部としての当接部６６ｃとを有している。Ｖ字部６４は、図４に示すように当接部６６ａ、６６ｂ、６６ｃがそれぞれ装置フレーム１１、装置フレーム１１、レンズホルダ６２に当接することにより劣角６４ａが図６（ｃ）に示す無負荷時より大きくなるようにしてレンズホルダ６２を装置フレーム１１に付勢状態で固定している。ここで、装置フレーム１１は、バネ６３の当接部６６ａ、６６ｂとそれぞれ当接する当接部１１ｇ、１１ｈと、当接部１１ｇから当接部１１ｈ側に突出してバネ６３の枝６５ａの移動を案内するガイド部１１ｉとを有している。
【００３２】
図７（ａ）、（ｂ）は、それぞれバネ６３の正面側から見た斜視図、背面側から見た斜視図である。
【００３３】
図６および図７に示すように、Ｖ字部６４の枝６５ｃは、先端の両側に配置されてＶ字の折り曲げ方向とは反対方向に折り曲げられた折曲部６５ｄと、Ｖ字の頂点６５ｂの近傍の中央に配置された切欠部６５ｅとを有している。
【００３４】
図８は、光ヘッド装置１０の底面側から見た斜視図であって、バネ６３の近傍の図である。図９は、光ヘッド装置１０の上面側から見た斜視図であって、センサーレンズ６１およびバネ６３が省略された図である。
【００３５】
図４、図８および図９に示すように、バネ６３は、枝６５ａからＶ字部６４の折り曲げ方向とは反対方向に折り曲げられたフック６７を有している。フック６７は、センサーレンズ６１の光軸６１ａに直交する矢印６４ｃで示す方向にＶ字部６４が移動することを装置フレーム１１の当接部１１ｋに当接することによって防止する直交方向移動防止部としての端部６７ａと、センサーレンズ６１の光軸６１ａに平行な矢印６４ｄ（図５参照）で示す方向にＶ字部６４が移動することを装置フレーム１１に当接することによって防止する平行方向移動防止部としての側部６７ｂとを有している。ここで、装置フレーム１１は、貫通孔１１ｊが形成されており、フック６７の端部６７ａと当接する当接部１１ｋと、フック６７の側部６７ｂと当接する当接部１１ｌとを貫通孔１１ｊを形成する壁部の一部に有している。
【００３６】
次に、光ヘッド装置１０の動作について説明する。
【００３７】
図３に示すように、レーザ光源装置２１から出射されたレーザ光は、偏光プリズム３２を透過してハーフミラー３６に入射する。ハーフミラー３６に入射したレーザ光の一部は、ハーフミラー３６を透過してモニタ用受光素子２３に検出され、レーザ光源装置２１から出射されるレーザ光の光量の制御に使用される。ハーフミラー３６に入射したレーザ光の一部は、ハーフミラー３６によって反射されて、１／４波長板３７、コリメートレンズ３８を透過して立ち上げミラー３９によって立ち上げられて、対物レンズ３１を透過して、光記録ディスクの記録面に到達する。
【００３８】
同様に、レーザ光源装置２２から出射されたレーザ光は、偏光プリズム３２で反射されてハーフミラー３６に入射する。ハーフミラー３６に入射したレーザ光の一部は、ハーフミラー３６を透過してモニタ用受光素子２３に検出され、レーザ光源装置２２から出射されるレーザ光の光量の制御に使用される。ハーフミラー３６に入射したレーザ光の一部は、ハーフミラー３６によって反射されて、１／４波長板３７、コリメートレンズ３８を透過して立ち上げミラー３９によって立ち上げられて、対物レンズ３１を透過して、光記録ディスクの記録面に到達する。
【００３９】
更に、光記録ディスクの記録面に記録された情報を再生する場合には、光記録ディスクの記録面に到達したレーザ光は、記録面で反射されて戻り光となる。戻り光は、対物レンズ３１を透過して、立ち上げミラー３９によって反射されて、コリメートレンズ３８、１／４波長板３７、ハーフミラー３６、センサーレンズ６１を透過した後、信号検出用受光素子２４に検出される。ここで、信号検出用受光素子２４によって検出される戻り光は、センサーレンズ６１を通ることにより非点収差が付与される。したがって、信号検出用受光素子２４に４分割受光素子を形成することにより、これらの分割受光素子の光電流量からフォーカシング補正を行うことができる。
【００４０】
次に、装置フレーム１１にセンサーレンズ６１を固定する作業について説明する。
【００４１】
まず、装置フレーム１１に信号検出用受光素子２４が固定される。
【００４２】
次いで、センサーレンズ６１が接着固定されたレンズホルダ６２は、取り付け面６２ａ、６２ｂが装置フレーム１１のホルダ固定面１１ｅ、１１ｆに当接するように配置される。
【００４３】
次いで、バネ６３は、枝６５ａの端を先頭にして装置フレーム１１における設置場所に差し込まれる。ここで、バネ６３は、レンズホルダ６２に接触する前に枝６５ａの端で装置フレーム１１のガイド部１１ｉに接触するので、レンズホルダ６２の曲面６２ｄに枝６５ｃで接触して劣角６４ａが広がることによって復元力が発生したとしても、ガイド部１１ｉに案内されて設定場所まで移動することができる。なお、バネ６３は、作業者にフック６７が押されることによってガイド部１１ｉに案内されて移動するが、枝６５ｃに切欠部６５ｅを有しているので、フック６７が作業者に押され易くなっている。
【００４４】
そして、バネ６３は、フック６７が貫通孔１１ｊに入り込むと、フック６７の端部６７ａと、装置フレーム１１の当接部１１ｋとが当接して矢印６４ｃで示す方向に移動することが防止される。
【００４５】
このとき、バネ６３は、レンズホルダ６２の曲面６２ｄに枝６５ｃの当接部６６ｃで当接しており、劣角６４ａが広がることによって発生した復元力によってレンズホルダ６２を矢印６３ａで示す方向に付勢している。したがって、レンズホルダ６２の取り付け面６２ａ、６２ｂは、装置フレーム１１のホルダ固定面１１ｅ、１１ｆに押しつけられる。すなわち、レンズホルダ６２は、バネ６３によって装置フレーム１１に仮固定される。
【００４６】
また、バネ６３は、上述の通り、劣角６４ａが広がることによって発生した復元力によって、枝６５ａの当接部６６ａ、６６ｂで装置フレーム１１の当接部１１ｇ、１１ｈに押しつけられている。すなわち、当接部６６ｃによってレンズホルダ６２に当接しているバネ６３は、枝６５ａの当接部６６ａ、６６ｂと、フック６７の端部６７ａとによって、装置フレーム１１に対して固定される。バネ６３の固定には、接着剤などは不要である。
【００４７】
次いで、レンズホルダ６２は、バネ６３によって装置フレーム１１に仮固定された状態で、センサーレンズ６１の光軸６１ａの矢印６４ｄで示す延在方向に移動させられて位置調整される。この位置調整は、レーザ光源装置２１やレーザ光源装置２２から出射されたレーザ光を信号検出用受光素子２４によって検出しながら行われる。なお、バネ６３は、レンズホルダ６２の曲面６２ｄに枝６５ｃの当接部６６ｃで当接しているので、矢印６４ｄで示す方向にレンズホルダ６２が移動させられると、レンズホルダ６２との摩擦力によってレンズホルダ６２の移動方向、すなわち矢印６４ｄで示す方向に力が加わるが、フック６７の側部６７ｂで装置フレーム１１の当接部１１ｌに当接することによって矢印６４ｄで示す方向に移動することが防止される。また、バネ６３は、枝６５ｃの先端の両側に配置された折曲部６５ｄが存在するので、レンズホルダ６２が矢印６４ｄで示す方向に移動させられるときに、枝６５ｃの先端の両側面がレンズホルダ６２に引っかかることを防止することができる。
【００４８】
矢印６４ｄで示す方向におけるレンズホルダ６２の位置調整が終了すると、レンズホルダ６２の取り付け面６２ａ、６２ｂは、装置フレーム１１のホルダ固定面１１ｅ、１１ｆとＵＶ硬化型接着剤によって接着固定される。
【００４９】
なお、バネ６３は、接着剤などによって固定されていないので、貫通孔１１ｊを介してフック６７がレンズホルダ６２側に押し込まれることによって、劣角６４ａが広がってフック６７の端部６７ａと、装置フレーム１１の当接部１１ｋとの当接が解除され、装置フレーム１１から外すことができる。したがって、バネ６３は、従来のようにねじによって固定されている場合と比較して容易に着脱させることができる。
【００５０】
以上に説明したように、光ヘッド装置１０は、レンズホルダ６２がバネ６３の付勢力によって装置フレーム１１に固定されるときに、バネ６３に発生する復元力によってバネ６３が装置フレーム１１に固定されるので、センサーレンズ６１を装置フレーム１１に固定するバネ６３がバネ６３自身の付勢力で装置フレーム１１に固定されることができる。従って、ネジを用いることなくセンサーレンズ６１を装置フレーム１１に固定することが可能になり、部品点数の削減を図ることができる。
【００５１】
また、光ヘッド装置１０は、レンズホルダ６２の２つの取り付け面６２ａ、６２ｂがセンサーレンズ６１を通る光軸にそれぞれ平行であり、互いに隣接配置されて交差しているとともにバネ６３によって同時に装置フレーム１１に押し付けられているので、光軸と直交する方向における装置フレーム１１に対するレンズホルダ６２の位置を確定することができる。なお、光ヘッド装置１０は、レンズホルダ６２の２つの取り付け面６２ａ、６２ｂが互いに隣接配置されていなくても、すなわち２つの取り付け面６２ａ、６２ｂが互いに離間して配置されていても、２つの取り付け面６２ａ、６２ｂを含むそれぞれの仮想平面が互いに交差していれば、同様の効果を得ることができる。
【００５２】
また、光ヘッド装置１０は、矢印６４ｄで示す方向にバネ６３が移動することを防止する平行方向移動防止部としての側部６７ｂをバネ６３のフック６７に有しているので、センサーレンズ６１がバネ６３によって装置フレーム１１に固定されている状態であっても、センサーレンズ６１が矢印６４ｄで示す方向に調整されることができる。なお、バネ６３は、平行方向移動防止部をフック６７の側部６７ｂ以外の箇所に備えていても良い。たとえば、バネ６３は、平行方向移動防止部をフック６７の側部６７ｂとは反対側の側部に備えていても良いし、平行方向移動防止部を枝６５ａの側部に備えていても良い。
【００５３】
また、光ヘッド装置１０は、バネ６３によって装置フレーム１１に固定される光学素子としてセンサーレンズ６１を有しているが、バネ６３によって装置フレーム１１に固定される光学素子としてセンサーレンズ６１以外の光学素子を有していても良い。
【図面の簡単な説明】
【００５４】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す光ヘッド装置の側面断面図であって、センサーレンズの近傍の図である。
【図５】図１に示す光ヘッド装置の上面側から見た斜視図であって、センサーレンズの近傍の図である。
【図６】（ａ）図１に示す光ヘッド装置のバネの正面図である。  （ｂ）図１に示す光ヘッド装置のバネの底面図である。  （ｃ）図１に示す光ヘッド装置のバネの側面断面図である。
【図７】（ａ）図１に示す光ヘッド装置のバネの正面側から見た斜視図である。  （ｂ）図１に示す光ヘッド装置のバネの背面側から見た斜視図である。
【図８】図１に示す光ヘッド装置の底面側から見た斜視図であって、バネの近傍の図である。
【図９】図１に示す光ヘッド装置の上面側から見た斜視図であって、センサーレンズおよびバネが省略された図である。
【符号の説明】
【００５５】
１０  光ヘッド装置
１１  装置フレーム（ベース）
２１、２２  レーザ光源装置（レーザ光源）
２４  信号検出用受光素子（受光素子）
３０  光学系
６１  センサーレンズ（光学素子）
６１ａ  光軸
６２  レンズホルダ（光学素子ホルダ）
６２ａ、６２ｂ  取り付け面
６３  バネ（付勢部材）
６４  Ｖ字部
６４ａ  劣角
６４ｂ  優角
６５ａ  枝（一方の枝）
６５ｂ  頂点
６５ｃ  枝（他方の枝）
６６ａ  当接部（第一のベース当接部）
６６ｂ  当接部（第二のベース当接部）
６６ｃ  当接部（ホルダ当接部）
６７ａ  端部（直交方向移動防止部）
６７ｂ  側部（平行方向移動防止部）
【図１】
2009238340.tif 000003
【図２】
2009238340.tif 000004
【図３】
2009238340.tif 000005
【図４】
2009238340.tif 000006
【図５】
2009238340.tif 000007
【図６】
2009238340.tif 000008
【図７】
2009238340.tif 000009
【図８】
2009238340.tif 000010
【図９】
2009238340.tif 000011